(57)【特許請求の範囲】
【請求項１】
改変されるおそれのある情報が記録されるか、または前記情報を記録する層が設けられるシートＡと、シ−トＢとが接着剤層Ｃを介して貼合され、かつ、透かし印刷が、シートＡの接着剤層Ｃと接する面、若しくはシートＢの接着剤層Ｃと接する面、又はその両面に施されたカード用基材において、前記シートＡ及びＢの層間強度Sa、Sb、接着剤層Ｃの接着強度Scの関係が常温からカード用基材が変形する温度未満の範囲内において、
Sa＞Sb、Sc＞Sb
であると共に、前記シートＢがボイド含有型フィルム単体又はボイド含有型フィルム層を有する多層化フィルムであり、かつ、前記基材の厚みが800μｍ以下、空洞含有率が２５％以下、剛直度が４ｍＮ以上であることを特徴とする改竄防止カード用基材。
【請求項２】
シートＢの空洞含有率がシートＡの空洞含有率よりも大きい請求項１の改竄防止カード用基材。
【請求項３】
請求項１又は２のカード用基材のシートＡに個人認証記録層が設けられ、シ−トＢに備考記録層が設けられた改竄防止カード用基体。
【請求項４】
請求項１又は２のカード用基材のシートＢに、備考記録層として、シートＡの個人認証記録層と同一原料の層が配備されている改竄防止カード用基体。
【発明の詳細な説明】
【０００１】
【発明の属する技術分野】
本発明は、引き剥がし、貼り替え等により改竄されるのを効果的に防止できる改竄防止カード用基材並びにこれを用いたカード用基体に関する。
【０００２】
【従来の技術】
従来、何らかの証明を行なう機能を備えたカードが、広く用いられている。例えば、運転免許証、社員証、メンバーズカードなどのいわゆるＩＤカードや、提示することによってサービスが受けられるサービスカード、或は、プリペイドカード等である。
【０００３】
これらのカードは、偽造を防止するために、様々な手法が用いられている。この中の有力な偽造防止手法の一つとして、２枚のシートを貼合接着してなるカードにおいて、いずれかのシートの接着される面に、偽造防止を目的として適宜の目印となる印刷を施したものがある。これは、目印となる印刷が施されたシート面が他のシートと接着されるため、目印となる印刷がカードの表面には出ないからである。ここで、カードの表面とは、カードの表側か裏側かを問わず、外に露出する面をいう。
【０００４】
上記カードは、その表面に目印が設けられたものと比較すると、複雑な構造となっているため、偽造されにくい。即ち、前記カードが真正なものであるか、偽造されたものであるかは、偽造防止用の目印の有無で判定するが、その目印の有無の確認は、通常は目視で行われる。つまり、カードに使用される通常のシート類（白色のプラスチック製など）は、一見不透明に見えても、ある程度の透光性を有しているのが普通であるから、そのようなシートを用いて製造された前記カードも、通常の使用時には目印がシートに隠されて目立たないか又は認識されないが、真贋の判定時には、カードを光に透かして注視すると目印を視認出来るからである。従って、目印の有無の確認はＸ線を通すなどにより行ってもよいが、目視により目印の有無を確認する判定形態が多く用いられるのである。なお、本明細書において、上記のような目印となる印刷を「透かし印刷」というものとする。
【０００５】
ところが、目印をカードの内部に隠した上記のようなカードであっても、次の方法によって改竄されるおそれがある。即ち、カードを形成している２枚のシートを引き剥がし、そのうちの１枚を別のシートと取り替えて再度貼合する方法である。例えば、ある資格を有することを証明するため顔写真が印画されているカードにおいて、他人のカードを取得し、２枚のシートを剥がし、そのうちの顔写真が印画されている方のシートを、自分の顔写真が印画されているシートに取り替え、再度元の相手方のシートに貼合する形態がそれである。このとき、透かし印刷が、顔写真が印画されているシートではない相手方のシートに残っていると、再貼合によって作られたカードも透かし印刷を有することとなり、改竄カードであるにも拘らず正当なものと判定されてしまうこととなるのである。
【０００６】
要するに、改変されるおそれのある情報が記録されたシート（顔写真付きシートなど、以下、「改変対象シート」という）と、そのシートの貼合相手となる他のシート（以下、「第二シート」という）が接着層を介して貼合され、かつ、接着層に接する２枚のシートのいずれかの面に透かし印刷がなされているカード用基材においては、引き剥がした際に、改変対象シートではない第二のシートに透かし印刷が残らないことが、改竄防止の上で不可欠なのである。
【０００７】
このための方策の一つとして、透かし印刷を、改変対象シートに施し、第二シートには施さないことが挙げられる。しかし、改変対象シートに透かし印刷を施しても、透かし印刷を有するシートを接着面からきれいに剥離されるのではなく破壊されて引き剥がされる場合には、透かし印刷が接着剤層と共に第二シートの方へ残ってしまう。また、破壊されなくても、通常は、透かし印刷のインクが接着剤層に転移し、接着剤層に透かし印刷の絵柄が転写されてしまうことが多い。そうであると、透かし印刷を改変対象シートに施しても、引き剥がした時に接着剤層が第二シートの側に残る、言い換えれば、改変対象シートと接着剤層がその界面で分離する場合は、改竄が可能といわざるを得ない。
【０００８】
上記のような改竄に対し、従来、接着力の調整による解決が図られてきた。即ち、改変対象シートと接着剤層の接着強度をαとし、第二シートと接着剤層の接着強度をβとするとき、αをβよりも大きくする方法である。接着力をα＞βとする調整は、改変対象シートではない第二シートに接着阻害処理を施すことなどによって可能である。しかし、この方法では、インクが接着剤層に転移し、更に接着剤層内部に浸透したうえに、第二シートにまで達した場合は、有効ではなくなる。そのような現象は通常でもしばしば発生するし、また、２枚のシートの引き剥しのために加熱をすると、インクの転移や浸透が促進されて、そのような現象が発生しやすい。更に、接着力に差を持たせるような加工を施すと、作成されたカードにカールが生じやすくなることも問題であった。
【０００９】
また、従来の方法では、改変対象シートに透かし印刷を施すことを前提としていた。しかし、事情によっては、改変対象シートではない第二シートに透かし印刷を施した方が好ましい場合がある。例えば、ＩＤカードの用途において、改変対象シートに個人認証記録層を設ける場合、個人認証記録層には、顔写真が熱転写記録方式などによって印画されることが多い。この場合、写真が印画される層は、その画像の品質保持の必要上、層の表面が傷付くと画像品質上の問題となり易く、従って、傷は微細なものであっても付かない方が好ましい。
【００１０】
一方、上記のＩＤカードにおいては、第二シートに、備考記録層が設けられることが多いが、備考記録層には、通常、筆記はなされても画像は印画されないので、個人認証記録層と比較すれば、傷が許容される程度が大きい。通常、シート状物に何らかの加工を施す際には、その工程上で微細な傷が付くことが往々にしてあり、透かし印刷を行なう工程も例外ではない。そこで、このようなＩＤカードの場合、透かし印刷は備考記録層が設けられる第二シートに施したいという要請があるが、従来の技術では改竄防止に支障を来たすため、この要請には応えられていない。
【００１１】
【発明が解決しようとする課題】
本発明は、上述のような従来技術に鑑み、改変されるおそれのある情報が記録されるか、または前記情報を記録する層が設けられる改変対象シートと、該シートの貼合相手となる第二シートが接着剤層を介して貼合されていて、２枚のシートのいずれか一方又は両方の接着剤層に接する面に透かし印刷がなされているカード用基材において、引き剥がした際に、改変対象シートではない第二シートに透かし印刷が残らないようにした改竄防止カード用基材、並びに、この基材を用いたカード用基体を提供することを、その課題とするものである。
【００１２】
【課題を解決するための手段】
上記課題を解決することを目的としてなされた本発明シート用基材の構成は、  改変されるおそれのある情報が記録されるか、または前記情報を記録する層が設けられるシートＡと、シ−トＢとが接着剤層Ｃを介して貼合され、かつ、透かし印刷が、シートＡの接着剤層Ｃと接する面、若しくはシートＢの接着剤層Ｃと接する面、又はその両面に施されたカード用基材において、前記シートＡ及びＢの層間強度Sa、Sb、接着剤層Ｃの接着強度Scの関係が常温からカード用基材が変形する温度未満の範囲内において、
Sa＞Sb、Sc＞Sb
であると共に、前記シートＢがボイド含有型フィルム単体又はボイド含有型フィルム層を有する多層化フィルムであり、かつ、前記基材の厚みが800μｍ以下、空洞含有率が２５％以下、剛直度が４ｍＮ以上であることを特徴とするものである。
【００１３】
因みにここでいう強度とは、「ＴＡＰＰＩ  ＵＭ  ４０３」の試験に準じて測定できる層間強度（層内部の結合強さ）及び接着強度であり、層の破壊に必要なエネルギー（ｆｔ−ｌｂの千単位）で表すことができるものである。
【００１４】
本発明において、前記シートＡ及びシートＢの層間強度Sa、Sbとは、前記シートＡとシートＢを分離すべく引き剥がそうとする力に対して当該シートＡ及びシートＢ自体が破壊されずに耐える強さのことであり、接着剤層Ｃとの密着力のことではない。また、接着剤層Ｃの接着強度Scとは、シートＡとシートＢを分離すべく引き剥がそうとする力に対して、▲１▼シートＡ及びシートＢと接着剤層Ｃとが界面から剥離されずに耐える強さ、換言すれば密着力、及び、▲２▼接着剤層Ｃ自体が破壊されずに耐える強さ、のことであり、Sc＞Sbとは、前記▲１▼と▲２▼のいずれの強さよりも、シートＢ自体が破壊されずに耐える強さの方が弱いことを意味する。
【００１５】
ここで、本発明カード用基材は、常温からカード用基材が変形する温度未満の範囲内においてSa＞Sb、かつ、Sc＞Sbであるので、シートＡを引き剥がそうとして力を加えると、シ−トＢ自体の層が破壊されて分断され、カード全体が、シートＢ自体の層の途中から分離されることになる。従って、シ−トＢの表面付近は、接着剤層Ｃから分離せず、シートＡに接着剤層Ｃと一体に残ることとなる。これにより、シートＢに透かし印刷を施した場合でも、或は、シートＡに施した透かし印刷Ｄのインクが接着剤層Ｃに浸透した末にシートＢに達した場合でも、透かし印刷ＤはシートＡの方に接着剤層Ｃと一体に残り、分離されたシートＢには残らないこととなる。この結果、カードから改変したい情報が記録されたシートＡを引き剥がして廃棄し、残されたシートＢに偽造した別のシートＡを貼合しても、透かし印刷Ｄが施されないカードになるので、従来のような改竄は不可能となるのである。
【００１６】
次に、本発明カード用基材は、シートＢにボイド含有型フィルム単体又はボイド含有型フィルム層を有する多層化フィルムを用いている。ボイド含有型フィルムは、ボイドを含有しないフィルムと比較して破壊されやすく、従って、ボイド含有型のフィルムをシートＢに用いると常温からカード用基材が変形する温度未満の範囲内においてSa＞Sb、且つSc＞Sbを満たすことが容易になるからである。また、ボイド含有型フィルムは、層破壊された後の表面形状が不定形となりやすいので、そのフィルムを用いたシートＢをカードから引き剥がすと、そのシートＢ自体の層が分断されてできる表面は激しい凹凸面になりやすい。このため、改変したい情報を記録してあるか、または記録した層を設けたシートＡを取り去って残されたシートＢを利用し、このシートＢに偽造したシートＡをそれに貼合するなど、何らかの偽造を行なおうとしても、きれいに貼合できないなどの不具合が生じるため、偽造が困難になる。この点も本発明の特徴点の一つである。
【００１７】
また、本発明シート用基材は、改変されるおそれのある情報を記録する層として個人認証記録層をシートＡに設け、第二シ−トＢに備考記録層を設ける構成とすることによって、運転免許証などのＩＤカードに好適なカード用基体を形成することができる。更に、個人認証記録層と備考記録層の原料を同一のもの（物質的に同一のもの）とすれば、カールが発生しにくい。更に、厚みが800μｍ以下であると、カード用基体として適切であり、空洞含有率が25％以下であると、折れたり曲がったりした際に、折れジワと称されるスジ状の痕跡がつきにくくなり、また、剛直度が４ｍＮ以上であると、読み取り装置内での搬送性が良好となる。因みに、上記段落００１２からこの段落までにおいて使用した符号Ａ，Ｂ，Ｃは図１の符号Ａ，Ｂ，Ｃに対応している。
【００１８】
本発明では、上記構成のカード用基材において、改変されるおそれのある情報を記録するか、または記録する層を設けるシート、即ち、改変対象シートＡに個人認証記録層を設け、第二シ−トＢに備考記録層を設けてカード用基体に形成することができ、更に、前記シートＢの備考記録層として、前記シートＡの個人認証記録層と同一の層を設けたカード用基体としてもよい。
【００１９】
【発明の実施の形態】
次に、本発明改竄防止カード用基材、および、カード用基体の実施の形態例を図により説明する。図１は透かし印刷を改変される虞のあるシートに設けた本発明カード用基材の一例を用いたカード用基体の断面図、図２，図３は、それぞれ本発明カード用基体の引き剥がし試験の状態を示す断面図である。
【００２０】
図１において、Ａは改変されるおそれのある情報が記録される層を設けるシート、つまり、改変対象シート、Ｂは第二シート、Ｃは前記シートＡ，Ｂを貼合するため両シートの間に介在した接着剤層、ＤはシートＡの接着剤層Ｃに対向する面に施した透かし印刷、Ｅは同じくシートＡの外表面側に設けた個人認証記録層で、本発明では、この層Ｅの個人認証記録が改竄の対象となる情報の一例である。ＦはシートＢの外表面側に設けた備考記録層である。
【００２１】
上記において、改変されるおそれがある情報の記録層Ｅを有するシートＡと、備考記録層Ｆを有するシートＢは、両シートとも単層構造或は多層構造のいずれであってもよい。シートＡ又はＢを多層構造に形成する方法としては、例えば接着剤を介して層同士を貼り合せる方法、複数の押し出し機から複数の原料を押し出し合流させて製膜するいわゆる共押出方法、フィルムの上に押出機から直接フィルムを押し出しながら貼り合わせて積層するいわゆる押し出しラミネート方法など、公知の各種方法を用いることができる。
【００２２】
本発明において、前記シートＢは、ボイド含有型フィルム単体又はボイド含有型フィルム層を有する多層化フィルムである。ボイド含有型フィルムとは、何らかの方法でフィルム内に空孔を設けたものである。空孔を設けたものとしては、発泡プラスチックフィルムが、好適に用いられる。ここで、発泡プラスチックフィルムとは、フィルムの表面や内部に形成させる亀裂や欠所、或は、細かな気泡や空洞などを有するプラスチックフィルムをいうが、これらの気泡や空洞などは炭酸カルシウム等の無機粉末を含有したフィルムを延伸して無機粉末の周囲に発生させたミクロボイドフィルムや、発泡剤を含有させたフィルムにおいて発泡剤を発泡させたりして形成したものなど、その名称や形成方法、或は、気泡や空洞の生成形態は問わない。
【００２３】
接着剤が用いられた多層構造のシートＡ及び／又はＢを用いる場合、カード用基材全体の中に、複数の接着剤層が存在することがあり得る。この場合、透かし印刷Ｄが施されている面が接している接着剤の層が、本発明における接着剤層Ｃである。従って、接着剤層Ｃを境界にして、改変されるおそれのある情報の記録層Ｅを設ける側の全層がシートＡであり、前記接着剤層Ｃを境界にした反対側、すなわち備考記録層を設ける側の全層がシートＢとなる。また、シートＡ及びシートＢの層間強度Sa、Sbとは、前述したように、引き剥がそうとする力に対してシートＡ及びＢ自体が破壊されずに耐える強さのことである。従って、シートＡやＢが、多層構造の場合の層間強度Sa、Sbは、それぞれのシートを形成している単層自体の強さ、及び、各単層とこれらの層を互いに接着している接着剤層が界面から剥離せずに耐える強さ、並びに、接着剤の層自体の強さ、或は、共押出方法の場合などにおける各層同士の密着力などのうち、最も弱いものを指すものとする。
【００２４】
シートＡ及びＢに用いる素材としては、シート状であれば特に限定されず、プラスチックフィルムなどが使用可能である。但し、シートＢのうち少なくとも１層は、ボイド含有型フィルム層である。プラスチックフィルムとしては、ポリエチレンテレフタレート、ポリプロピレン、ポリスチレン、ポリカーボネート、塩化ビニル等の一般的な熱可塑性樹脂フィルム、炭酸カルシウム等の無機粉末を内添させたもの、生分解性を有するものなど、種々のものが使用可能である。尚、ここでいうプラスチックフィルムには、合成紙と称されるものも含むものとする。
【００２５】
透かし印刷Ｄとしては、真贋の識別に役立つものであれば、特に限定されない。最も代表的なものは、目印、マーク、模様などを通常の方式で印刷し、真贋を判定する際は、光に透かして目視で視認できるものである。しかし、本発明における透かし印刷Ｄは前記の例に限定されるものではなく、識別に役立つものであってシートに付着できるものであれば、本発明の透かし印刷Ｄとみなす。例えば、目視では視認できず、読み取り装置で判別するもの、或は、透過光を用いて識別するものでなく、反射光で見えてもよい。また光ではなく、電波、磁気等を照射して機械的に判定するものであってもよい。
【００２６】
一方、シートＡに透かし印刷Ｄを施す場合、それが接着剤層Ｃに転移するものである場合には、特に本発明の利点が顕著に現われる。即ち、接着剤層Ｃに転移するものとして、代表的なものは、一般の文字や絵柄を印刷するインクである。また、接着剤層Ｃに転移するのは、通常はインク等の液体状のものであるが、それ以外のもの、例えば粉体で着色した後に染料が移行していくものなども含む。
【００２７】
前記のインク等をシートに付着させる方法としては、印刷が一般的であるが、プリンターによる印画、塗布、噴霧などの種々の方法を採ることができる。これらの中で、特に好適に用いられるのは、グラビア印刷方式により、一般のプラスチックフィルム用のインクを用い、マークなどを印刷する方法である。例えば、光に透かして目視で見る透かし印刷Ｄである場合、印刷の色の濃度とシートの不透明度を適宜調製し、通常のカード使用時には目立たないが、当該カードの真贋判定時には自然光や通常の照明の光でも見られるようにすると、極めて効果的である。
【００２８】
接着剤層Ｃの接着剤としては、特に限定されるものではなく、通常のカード用基材の製造に用いられる公知のものを用いることができる。ただし、改竄しようとして引き剥がす際、剥がしやすくするために加熱する場合があるので加熱されてもSc＞Sbを満たすものを選択する必要がある。この条件を好適に満たすものとして具体的には２液硬化型あるいは自己架橋型のアクリル系またはウレタン系の接着剤を挙げることができる。なお、基材が変形するほどの加熱では改竄自体ができなくなるので、Sa＞Sb、Sc＞Sbの関係の温度範囲上限は基材が変形する温度未満である。
【００２９】
シートＡに設けられる層に記録される改変されるおそれがある情報についても、様々な態様の記録が考えられる。代表的なものは個人の顔の写真が記録されているものであるが、これに限定されない。指紋のパターンなどの、個人を識別する情報、記載されたそのカードの有効期限、受けられるサービスのランク、承認者の印影など、改変することによって改変をした者が不当に利益を得られるあらゆるものが考えられる。磁気によって記録されたデータなどであっても、引き剥がさないと改変が困難な状態に記録されたものであれば、本発明の改竄防止の機能が発揮される。なお、シートＡまたはシートＢには、情報を記録するための層を設けてこの層に前記のいずれかの情報を記録してもよく、また直接に前記情報を記録してもよい。
【００３０】
以上に述べたように、本発明カード用基材は、様々な態様で様々な用途が考えられるが、最も効果を発揮するのは、改変対象となるシートＡに個人認証記録層Ｅを設け、第二シ−トＢに備考記録層Ｆを設けるカード用基体としての態様である。これによって、運転免許証などのＩＤカードに好適なカード用基体を製造できる。また、個人認証記録層Ｅとしては、代表的なものは、顔写真を記録できる層である。層の形成は、例えば、填料とバインダーを含有する塗工液を、プラスチックフィルムなどに塗工し乾燥させることによって可能である。顔写真などの記録には、昇華型或いは溶融型の熱転写方式、インクジェット記録方式などによる印画が用いられることが多く、これらに適する塗工層を、公知の方法で設けることが可能である。また、備考記録層Ｆを設けると、カード発行後に発生した種々の情報を記入することが可能となり、利便性が向上する。備考記録層Ｆも、個人認証記録層Ｅと同様な方法で形成できる。備考記録層Ｅは、その組成を適切に選択し、ペンなどの筆記具による筆記に適するものとすることが望ましい。更に、印画にも筆記にも適する層を形成するなどして、個人認証記録層Ｅと備考記録層Ｆを同一原料により形成すれば、カールが発生しにくく、より好適である。
【００３１】
また、本発明のカード用基材は、全体の厚みを800μｍ以下とすることにより、各種読取装置などで取扱いやすく、そのようなカード用基材として好適である。また、カード類は、長期間にわたり使用され、使用者が手で取り扱ったり、読み取り用の機械に通されたりする際に、折れたり曲がったりすることがあり、その際に折れジワと称されるスジ状の痕跡が付くことがあるが、本発明ではカード用基材の全体の空洞含有率を25％以下とすることにより、この折れジワを抑制できるので好ましい。また、カード用基材の全体の剛直度を４ｍＮ以上にすることにより、読み取り装置内での搬送性が良好となる。
【００３２】
〔実施例〕
以下に本発明を実施例により詳細に説明する。なお、各例で得られた本発明カード用基材の物性と評価は以下に示す方法によった。
（１）空洞含有率
走査型電子顕微鏡Ｓ−２４６０Ｎ型（日立製作所製）を用いて３００−１５００倍の任意の倍率でカード用基材の断面写真を撮影し、その断面写真の空洞部分をマーキングした後、画像処理ソフトＷｉｎ  ＲＯＯＦ（三谷商事製）を用いて空洞部分の画像処理をして、基材の測定視野内の空洞面積の総和を求め、下記式から空洞含有率を算出した。
空洞含有率（％）
＝［空洞面積の総和（μｍ2）／測定視野面積（μｍ2）］×１００
なお、この方法は単層構造の基材だけでなく、多層構造の基材についても同様に用いることができる。
（２）剛直度
「Ｊ．ＴＡＰＰＩ  Ｎｏ．４０」の方法に準じてガーレー剛直度を測定した。
（３）引き剥がし試験
図２，図３に例示するようにカッターナイフで本発明カード用基体の表面から裏面に貫通しないように切れ込みＣｍを入れ、この切れ込みＣｍからシートＡとシートＢを引き離し２片になるように剥がしたときの剥離部分を特定し、また引き剥がしたシートＢ側片について、透かし印刷がシートＢ側片に残っているかどうか、透かし印刷を目視した。
なお、この引き剥がし試験は、切れ込みを入れる面と力を変えて、以下の４種のパターンを全て複数回ずつ行った。４種のパターンは、（ａ）切れ込みＣｍを昇華染料受像層、つまり個人認証記録層Ｅの側から入れて、その切れ込みＣｍをシートＡ内にとどめたもの、（ｂ）切れ込みを昇華染料受像層（個人認証記録層Ｅ）の側から入れて、その切れ込みＣｍをシートＢの内部まで到達させたもの、（ｃ）切れ込みを備考記録層Ｆの側から入れ、その切れ込みＣｍをシートＢの内部にとどめたもの、（ｄ）切れ込みを備考記録層Ｆの側から入れて、その切れ込みＣｍをシートＡの内部まで到達させたものである。切れ込みＣｍがどのシートに達していたかは、切れ込みＣｍを入れて剥がした後に破壊された部分Ｂｒを目視し、破壊された部分Ｂｒの形状の違いによって判定した。なお、図２，図３は、上記の引き剥がし試験において、切れ込みの到達位置の違いによる破壊された部分の形状の違いを示す断面図で、図２は切れ込みのパターンが上記（ａ）、（ｃ）の場合、図３は切れ込みのパターンが上記（ｂ）、（ｄ）の場合を示す。
（４）総合評価
引き剥がしたシートＢ側片に別のシートＡを貼合する改竄方法の防止性能について、防止性能が高い順に◎＞○＞×とした。◎、○は改竄不可、×は改竄可である。
【００３３】
（実施例１〜３）
表１の実施例１〜３の欄に示す材料によるシートＡの一方の面に個人認証記録が形成される昇華染料受像層を設け、他方の面に墨インクの文字をグラビア印刷して透かし印刷Ｄを設けた。また、表１の実施例１〜３の欄に示すシートＢの一方の面に備考記録層Ｆを設けた。前記シートＡの透かし印刷Ｄを設けた面と、前記シートＢの備考記録層Ｆを設けていない面とを、表１に示す２液硬化型の接着剤で貼合して、昇華染料受像層（個人認証記録層Ｅが形成される）を設けたシートＡと接着剤層Ｃと備考記録層Ｆを設けたシートＢとからなる本発明カード用基材を用いたカード用基体を作成した。
得られたカード用基体の物性と評価を表１に示す。なお、剛直度は、上記の昇華染料受像層と備考記録層Ｆを設けず、シートＡ、シートＢ、接着剤層Ｃのみからなるカード用基材を同様にして作成し、これを用いて測定した。  なお、引き剥がし試験においては、各例とも、前記４種のパターンのいずれも同一の結果であった。
【００３４】
（比較例１〜２）
表1の比較例の欄に示す材料によるシートＡとシートＢを用いた以外は実施例１と同様にしてカード用基材とカード用基体を作成した。
実施例と同様にして測定した物性と評価を表１に示す。  なお、引き剥がし試験においては、各例とも、前記４種のパターンのいずれも同一の結果であった。
【００３５】
【表１】
0004111705.tif 000002
【００３６】
上記表１で使用した用語の意味は、次の通りである。
透明ＰＰ：透明ポリプロピレンフィルム
［二村化学製ＦＯＳ−ＢＴ、５０μｍ、空洞含有率０％］
白色ＰＥＴ：白色ポリエチレンテレフタレートフィルム
［東レ製ルミラーＥ２２、２５０μｍ、空洞含有率１２．１％］
ボイド含有ＰＰ−１：微細空洞含有ポリプロピレンフィルム
［ユポ・コーポレーション製、ユポＦＰＧ、２００μｍ、空洞含有率２７．６％］
ボイド含有ＰＥＴ：微細空洞含有ポリエチレンテレフタレートフィルム
［東洋紡製、クリスパーＧ２３２３、１８８μｍ、空洞含有率１８．５％］
ボイド含有ＰＰ−２：微細空洞含有ポリプロピレンフィルム
［ダイセル化学製、ダイセルＰ、４２μｍ、空洞含有率２１．０％］
アクリル共重合体樹脂エマルジョン：［日栄化工製、ＲＡ−２Ａ、固形分濃度５０％］
ポリウレタンエマルジョン：
［武田薬品工業製、タケラックＷ−７００４、固形分濃度３３％］
Ｈ−１：硬化剤［日栄化工製ＲＡ−２Ｂ、固形分濃度６０％］
Ｈ−２：硬化剤［武田薬品工業製、タケラックＡＷ−７２５、固形分濃度１００％］
【００３７】
【発明の効果】
本発明は上述のとおりであるから、引き剥がし、貼り替え等により改竄されるのを効果的に防止出来る改竄防止カード用基材およびこれを使用したカード用基体としてきわめて好適である。
【図面の簡単な説明】
【図１】本発明カード用基材に記録層を設けたカード用基体の一例の断面図。
【図２】引き剥がし試験において、切れ込みの到達位置の違いによる破壊された部分の一例を示す断面図。
【図３】引き剥がし試験において、切れ込みの到達位置の違いによる破壊された部分の他の例を示す断面図。
【符号の説明】
Ａ  改変されるおそれがある情報を記録する層を設けるシート（改変対象シート）
Ｂ  第二シート
Ｃ  接着剤層
Ｄ  透かし印刷
Ｅ  個人認証記録層
Ｆ  備考記録層
【図１】
0004111705.tif 000003
【図２】
0004111705.tif 000004
【図３】
0004111705.tif 000005